【手続補正書】
【提出日】平成28年12月14日(2016.12.14)
【手続補正１】
【補正対象書類名】特許請求の範囲
【補正対象項目名】全文
【補正方法】変更
【補正の内容】
【特許請求の範囲】
【請求項１】
クレーンのコラムのコラムセグメントであって、前記コラムは、コラムコネクタシステムによって連結される複数のセグメントを有し、前記クレーンは、下部機構に回転可能に取り付けられている上部機構を有し、前記上部機構には荷重巻き上げウィンチが含まれており、
当該コラムセグメントは、
ａ）複数のコードであって、格子状構造体が各コードを少なくとも一つの別のコードに連結させており、各コードが第１端部及び第２端部を有している、複数のコードと、
ｂ）前記複数のコードのうちの少なくとも１つコードの前記第２端部上にある第１コネクタと、を備え、
前記第１コネクタが、ｎ個の延長部（ｎは正の整数）と、少なくとも（ｎ＋ｙ）個のプレート（ｙは、ｎ＋ｙが正の整数となるように（−１，＋１）からなる群から選ばれる）と、を有しており、
各延長部は、
第１基部と、
前記第１基部から離れる方向に延びる第１側面と、
前記第１基部から離れる方向に延び前記第１側面から離れる方向に間隔を空けて位置する第２面側面と、
前記第１側面から前記第２側面へと前記延長部を貫いて延びる第１開口部と、を有しており、
前記プレートは、前記延長部と交互に配列されていて前記延長部に連結されており、
前記プレートは、
前記第１基部とともに実質的に平面上で整合して第１コネクタ取付面を形成するプレート基部と、
前記プレート基部から離れる方向に延びて前記延長部のうちの１つの延長部の前記第１側面と前記第２側面とのうちの１つに隣接して配置されている第１プレート側面と、
前記プレート基部から離れる方向に延びて前記第１プレート側面から離れる方向に間隔を空けて位置している第２プレート側面と、を含んでいる、
コラムセグメント。
【請求項２】
ｎが１以上の奇数の整数であるときには、前記延長部が少なくとも１つの内側延長部を備えていて前記内側延長部が前記第１側面と前記第２側面との間に第１距離を有しており、ｎが２以上の整数であるときには、少なくとも２つの外側延長部を備えていて前記外側延長部が各々、前記第１側面と前記第２側面との間に前記第１距離よりも小さい第２距離を有する、請求項１に記載のコラムセグメント。
【請求項３】
前記プレートを前記延長部に連結させる複数の溶接部をさらに備える、請求項１又は請求項２に記載のコラムセグメント。
【請求項４】
前記第１コネクタ取付面の少なくとも一部が当該コラムセグメントに溶接されている、請求項１乃至３のいずれか一項に記載のコラムセグメント。
【請求項５】
少なくとも１つの延長部が、前記第１基部に対して実質的に垂直である回転方向に延びる粒状構造を有する鋼鉄から形成される、請求項１乃至４のいずれか一項に記載のコラムセグメント。
【請求項６】
前記第１コネクタ取付面が、前記第１コネクタを当該コラムセグメントに整合させるようにされた少なくとも１つの孔を含む、請求項１乃至５のいずれか一項に記載のコラムセグメント。
【請求項７】
前記プレートのうちの少なくとも１つが、
前記プレート基部から横方向に離れる方向に間隔を空けて位置しているプレート面と、
前記プレート基部から離れる方向に延び、前記第１プレート側面と前記第２プレート側面とに交わるプレート頂部と、
前記プレート基部から離れる方向に延び、前記第１プレート側面と前記第２プレート側面とに交わり、前記プレート頂部から離れる方向に間隔を空けて位置しているプレート底部と、
前記第１プレート側面に到るまで、前記プレート基部、前記プレート面、前記プレート頂部、及び前記プレート底部から離れる方向に延びる第１面と、
前記第２プレート側面に到るまで、前記プレート基部、前記プレート面、前記プレート頂部、及び前記プレート底部から離れる方向に延びる第２面と、を有する、請求項１乃至６のいずれか一項に記載のコラムセグメント。
【請求項８】
請求項１乃至７のいずれか一項に記載のコラムセグメントに他のコラムセグメントが連結されたコラムセグメントの組立体であって、
前記他のコラムセグメントは、
ａ）他の複数のコードであって、他の格子状構造体が当該他の複数のコードの各コードを当該他の複数のコードのうちの少なくとも一つの他のコードに連結させており、当該他の複数のコードの各コードが第１端部及び第２端部を有している、他の複数のコードと、
ｂ）前記他の複数のコードのうちの少なくとも１つのコードの前記第１端部上にある第２コネクタと、を備え、
前記第２コネクタが、（ｎ＋ｙ）個の延長部と、少なくともｎ個のプレートと、を有しており、
前記第２コネクタの各延長部が
第２基部と、
前記第２基部から離れる方向に延びる第１側面と、
前記第２基部から離れる方向に延び、前記第１側面から離れる方向に間隔を空けて位置している、第２側面と、
前記第１側面から前記第２側面へと前記延長部を貫いて延びる第２開口部と、を有しており、
前記第２コネクタの前記プレートは、前記第２コネクタの延長部と交互に配列されて該延長部に連結されており、
前記第２コネクタの前記プレートは、
前記第２基部とともに実質的に平面上で整合して第２コネクタ取付面を形成するプレート基部と、
前記プレート基部から離れる方向に延びて前記第２コネクタの前記延長部のうちの１つの前記第１側面と前記第２側面とのうちの１つに隣接して配置されている第１プレート側面と、
前記プレート基部から離れる方向に延び、前記第１プレート側面から離れる方向に間隔を空けて位置している第２プレート側面と、を有しており、
ｃ）前記第１コネクタの各延長部の前記第１開口部と前記第２コネクタの各延長部の前記第２開口部を貫いて挿入され、前記第１コネクタを前記第２コネクタに連結するピンをさらに備える、組立体。
【請求項９】
前記第２コネクタは単一構造体として成型される、請求項８の組立体。
【請求項１０】
下部機構に回転可能に取り付けられる上部機構を有し前記上部機構には荷重巻き上げウィンチが含まれるクレーンのためのコラムコネクタシステムであって、前記クレーンが備えるコラムの複数のセグメントを連結しており、
当該コラムコネクタシステムは、
（ａ）第１端部と第２端部を有する第１コラムセグメントと、
（ｂ）第１端部と第２端部を有する少なくとも１つの第２コラムセグメントと、
（ｃ）前記第１コラムセグメントの前記第２端部上にある第１コネクタであって、
少なくとも２つの外側延長部であって、各外側延長部が、
第１基部、
前記第１基部に対して垂直である第１側面、
前記第１側面に対して垂直であり、前記第１側面から離れて間隔を空けて位置している、第２側面、及び
当該外側延長部を貫く第１開口部、
を有する、少なくとも２つの外側延長部と、
前記外側延長部のうちの少なくとも１つに連結された少なくとも１つの内側プレートであって、
前記第１基部とともに実質的に平面上で整合して第１コネクタ取付面を形成する、内側プレート基部、
前記内側プレート基部に対して垂直であって、前記外側延長部のうちの１つの前記第１側面と前記第２側面のうちの１つに隣接して配置された第１内側プレート側面、及び
前記内側プレート基部に対して垂直であって、前記第１内側プレート側面から離れる方向に間隔を空けて位置している第２内側プレート側面、
を有する、内側プレートと、
を備える、第１コネクタと、
（ｄ）前記第２コラムセグメントの前記第１端部上にある第２コネクタであって、
少なくとも１つの内側延長部であって、
第２基部、
前記第２基部に対して垂直な第１側面、
前記第２基部に対して垂直であり、前記第１側面から離れる方向に間隔を空けて位置している第２側面、及び
当該内側延長部を貫いている第２開口部、
を有する、少なくとも１つの内側延長部と、
第１外側プレートと第２外側プレートであって、当該第１外側プレートと第２外側プレートとのうちの少なくとも１つが、少なくとも１つの内側延長部に連結されており、当該第１及び第２外側プレートのそれぞれが、
前記第２コネクタの少なくとも１つの内側延長部の前記第２基部とともに実質的に平面上で整合して第２コネクタ取付面を形成する外側プレート基部、
前記外側プレート基部に対して垂直である第１外側プレート側面、及び
前記外側プレート基部に対して垂直で、前記第１外側プレート側面から離れる方向に間隔を空けて位置している第２外側プレート側面、
を有する、外側プレートと、
を有する、第２コネクタと、
（ｅ）前記第１コネクタ及び前記第２コネクタの各外側延長部の前記第１開口部と各内側延長部の前記第２開口部とを貫いて挿入され、前記第１コネクタと前記第２コネクタとを連結するピンと、
を備える、コラムコネクタシステム。
【請求項１１】
前記第１コネクタの前記第２内側プレート側面が、前記第１コネクタの他の外側延長部の前記第１側面と前記第２側面との他方に隣接して配置され、及び／又は、前記第１外側プレートの前記第２外側プレート側面が、前記第２コネクタの前記少なくとも１つの内側延長部の前記第１側面に隣接して配置され、前記第２外側プレートの前記第１外側プレート側面が、前記第２コネクタの前記少なくとも１つの内側延長部の前記第２側面に隣接して配置されている、請求項１０に記載のコラムコネクタシステム。
【請求項１２】
前記第１コネクタがさらに、
少なくとも１つの内側延長部であって、前記第１コネクタの前記内側プレートが、前記内側延長部と前記少なくとも１つの外側延長部との間に配置されて該内側延長部と該少なくとも１つの外側延長部とに連結されており、前記第２内側プレート側面が前記内側延長部の第１側面と第２側面とのうちの１つに隣接して配置しており、前記内側プレート基部が前記第１コネクタの前記内側延長部の第２基部とともに実質的に平面上で整合している、少なくとも１つの内側延長部と、
前記内側延長部と前記他の外側延長部との間配置されて該内側延長部と該他の外側延長部とに連結されている他の内側プレートであって、
前記外側延長部の第１基部と前記内側延長部の第２基部とともに実質的に平面上で整合する他の内側プレート基部と、
前記他の内側プレート基部に対して垂直であり、前記外側延長部の前記第１側面と前記第２側面のうちの他方に隣接して配置されている他の第１内側プレート側面と、
前記他の内側プレート基部に対して垂直であり、前記他の第１内側プレート側面から離れる方向に間隔を空けて位置し、前記内側延長部の前記第１側面と前記第２側面との他方に隣接して配置されている他の第２内側プレート側面と、
を有する、他の内側プレートと、
を有し、
前記第２コネクタがさらに、
他の内側延長部と、
前記第２コネクタの前記内側延長部と前記他の内側延長部との間に配置されて該第２コネクタの該内側延長部と該他の内側延長部とを連結する少なくとも１つの内側プレートであって、内側プレート基部が、前記第２コネクタの前記内側延長部の第２基部と前記外側プレート基部の各々とともに平面上で整合しており、第１内側プレート側面が前記内側延長部のうちの１つの第２側面に隣接して配置され、第２コネクタの前記第２内側プレート側面が前記他の内側延長部の前記第１側面に隣接して配置されている、少なくとも１つの内側プレートと、
を有する、請求項１０又は１１に記載のコラムコネクタシステム。
【請求項１３】
前記第１コネクタがさらに前記内側プレートを前記外側延長部のうちの少なくとも１つに連結する複数の溶接部を有し、前記第２コネクタがさらに前記外側プレートのうちの少なくとも１つを前記内側延長部に連結する複数の溶接部を有する、請求項１０乃至１２のいずれか一項に記載のコラムコネクタシステム。
【請求項１４】
前記内側プレートがさらに、
前記内側プレート基部から横方向に離れる方向に間隔を空けて位置している内側プレート面と、
前記内側プレート基部から離れる方向に延び、前記第１内側プレート側面と第２内側プレート側面とに交わる内側プレート頂部と、
前記内側プレート基部から離れる方向に延び、前記第１内側プレート側面と前記第２内側プレート側面とに交わり、前記内側プレート頂部から離れる方向に間隔を空けて位置している内側プレート底部と、
前記第１内側プレート側面に到るまで、前記内側プレート基部、前記内側プレート面、前記内側プレート頂部、及び前記内側プレート底部から離れる方向に延びる第１面と、
前記第２内側プレート側面に到るまで、前記内側プレート基部、前記内側プレート面、前記内側プレート頂部、及び前記内側プレート底部から離れる方向に延びる第２面と、
を有し、
各外側プレートが、
前記外側プレート基部から横方向に離れる方向に間隔を空けて位置している外側プレート面と、
前記外側プレート基部から離れる方向に延び、前記第１外側プレート側面と前記第２外側プレート側面とに交わる外側プレート頂部と、
前記外側プレート基部から離れる方向に延び、前記第１外側プレート側面と前記第２外側プレート側面とに交わり、前記外側プレート頂部から離れる方向に間隔を空けて位置している前記外側プレート底部と、
前記第１外側プレート側面と前記第２外側プレート側面とのうちの１つに到るまで、前記外側プレート基部、前記外側プレート面、前記外側プレート頂部、及び前記外側プレート底部から離れる方向に延びている第１面と、を有する、請求項１０乃至１３のいずれか一項に記載のコラムコネクタシステム。
【請求項１５】
前記外側延長部と前記内側延長部とのうちの少なくとも１つが、前記第１基部と前記第２基部との少なくとも１つに対して、実質的に垂直である回転方向に延びている粒状構造を有する鋼鉄から形成される、請求項１０乃至１４のいずれか一項に記載のコラムコネクタシステム。
【請求項１６】
前記第１コネクタ取付面の少なくとも一部が前記第１コラムセグメントに溶接され、及び／又は、前記第２コネクタ取付面の少なくとも１部が前記第２コラムセグメントに溶接されている、請求項１０乃至１５のいずれか一項に記載のコラムコネクタシステム。
【請求項１７】
前記第１コネクタ取付面と前記第２コネクタ取付面とのうちの少なくとも１つが、前記第１コネクタを前記第１コラムセグメントに整合させるか、又は前記第２コネクタを前記第２コラムセグメントに整合させるかするようにされた少なくとも１つの孔を含む、請求項１０乃至１６のいずれか一項に記載のコラムコネクタシステム。